(57)【要約】【課題】ブログの記録性に優れた静的性質とメッセンジャーや電子メール等のリアルタイム性のある動的性質の利点を組み合わせたブログの更新システム等を提供すること。【解決手段】ブログ更新システムであって、メッセンジャー・サーバ７０は、ステータス変更情報を送信したユーザを識別するユーザ識別手段７２と、ユーザのブログが記憶されているブログ・サーバ８０を検索する検索手段７３と、ステータス変更情報と識別されたユーザの情報とを検索された当該ブログ・サーバ８０に送信する送信手段７４と、を備え、ブログ・サーバ８０は、受信したユーザの情報によりユーザと紐付けられたブログ・データベースを識別するブログ・データベース識別手段８４と、ステータス変更情報を識別されたブログ・データベースに時刻情報と共に記憶するブログ記憶手段８０ａと、を備える。【選択図】図１
2008123508.tif 000002
【特許請求の範囲】
【請求項１】
１つ以上のクライアント端末と、メッセージ管理サーバと、ブログ・サーバと、が通信回線により相互に接続されたブログ更新システムであって、
前記メッセージ管理サーバには、
前記クライアント端末より送信されたステータス変更情報を前記クライアント端末のユーザの情報と共に受信する受信手段と、
前記ステータス変更情報を送信した前記クライアント端末のユーザを識別するユーザ識別手段と、
識別されたユーザのブログが記憶されているブログ・サーバを検索する検索手段と、
前記ステータス変更情報と前記ユーザの情報とを検索された当該ブログ・サーバに送信する送信手段と、
を備え、
前記ブログ・サーバには、
前記メッセージ管理サーバより送信された前記ステータス変更情報と、前記ユーザの情報とを受信する受信手段と、
受信した前記ユーザの情報により前記ユーザと紐付けられたブログ・データベースを識別するブログ・データベース識別手段と、
前記ステータス変更情報を識別された前記ブログ・データベースに時刻情報と共に記憶するブログ記憶手段と、
を備えるブログ更新システム。
【請求項２】
前記メッセージ管理サーバは、電子メールサーバであり、
前記メッセージ管理サーバの前記受信手段は、電子メールに記載されたメッセージを前記ステータス変更情報として前記クライアント端末から受信する請求項１に記載のブログ更新システム。
【請求項３】
前記メッセージ管理サーバは、ショート・メッセージ・サービスの機能を有し、
前記クライアント端末は、携帯電話機であり、
前記メッセージ管理サーバの前記受信手段は、前記クライアント端末において作成されたメッセージを前記ステータス変更情報として前記ショート・メッセージ・サービスを用いて受信する請求項１に記載のブログ更新システム。
【請求項４】
１つ以上のクライアント端末と、メッセンジャー・サーバと、ブログ・サーバと、が通信回線により相互に接続されたブログ更新システムであって、
前記メッセンジャー・サーバには、
前記クライアント端末より送信されたステータス変更情報を前記クライアント端末のユーザの情報と共に受信する受信手段と、
前記ステータス変更情報を送信した前記クライアント端末のユーザを識別するユーザ識別手段と、
識別されたユーザのブログが記憶されているブログ・サーバを検索する検索手段と、
前記ステータス変更情報と前記ユーザの情報とを検索された当該ブログ・サーバに送信する送信手段と、
を備え、
前記ブログ・サーバには、
前記メッセンジャー・サーバより送信された前記ステータス変更情報と、前記ユーザの情報とを受信する受信手段と、
受信した前記ユーザの情報により前記ユーザと紐付けられたブログ・データベースを識別するブログ・データベース識別手段と、
前記ステータス変更情報を識別された前記ブログ・データベースに時刻情報と共に記憶するブログ記憶手段と、
を備えるブログ更新システム。
【請求項５】
前記メッセンジャー・サーバには、
前記クライアント端末より送信されたステータス変更情報が前記ユーザのブログに掲載することが適切か否かを判定する判定手段と、
前記ステータス変更情報が前記ユーザのブログに掲載することが不適切な場合には、警告を前記クライアント端末に返信する警告返信手段と、
をさらに備えた請求項４に記載のブログ更新システム。
【請求項６】
前記ブログ・サーバには、
受信された前記ステータス変更情報にＵＲＬリンクの添付の有無を解析するステータス情報解析手段をさらに備え、
前記ブログ記憶手段はさらに、前記ステータス情報解析手段により解析した結果、ＵＲＬリンクが添付されている場合には、前記ステータス変更情報が有する文言情報とＵＲＬリンク情報とを区別して前記ユーザのブログ・データベースに各々時刻情報と共に記憶する請求項１から５のいずれかに記載のブログ更新システム。
【請求項７】
前記ブログ・サーバの前記受信手段は、前記クライアント端末から前記ユーザの情報と共に時刻情報を有するコンテンツを受信し、
前記ブログ・サーバの前記ブログ記憶手段は、前記ブログ・データベース識別手段により識別された前記ブログ・データベースに、前記コンテンツを前記コンテンツが有する前記時刻情報と共に記憶する請求項１から６のいずれかに記載のブログ更新システム。
【請求項８】
１つ以上のクライアント端末と、メッセージ管理サーバと、ブログ・サーバと、が通信回線により相互に接続されたシステムにおけるブログ更新方法であって、
前記メッセージ管理サーバが、
前記クライアント端末より送信されたステータス変更情報を前記クライアント端末のユーザの情報と共に受信するステップと、
前記ステータス変更情報を送信した前記クライアント端末のユーザを識別するステップと、
識別されたユーザのブログが記憶されているブログ・サーバを検索するステップと、
前記ステータス変更情報と前記ユーザの情報とを検索された当該ブログ・サーバに送信するステップと、
を有し、
前記ブログ・サーバが、
メッセージ管理サーバより送信された前記ステータス変更情報と、前記ユーザの情報とを受信するステップと、
受信した前記ユーザの情報により前記ユーザと紐付けられたブログ・データベースを識別するステップと、
前記ステータス変更情報を識別された前記ブログ・データベースに時刻情報と共に記憶するステップと、
を有するブログ更新方法。
【請求項９】
１つ以上のクライアント端末と、メッセージ管理サーバと、ブログ・サーバと、が通信回線により相互に接続されたブログ更新システムにおいて、
前記メッセージ管理サーバに、
前記クライアント端末より送信されたステータス変更情報を前記クライアント端末のユーザの情報と共に受信するステップと、
前記ステータス変更情報を送信した前記クライアント端末のユーザを識別するステップと、
識別されたユーザのブログが記憶されているブログ・サーバを検索するステップと、
前記ステータス変更情報と前記ユーザの情報とを検索された当該ブログ・サーバに送信するステップと、
を実行させるプログラム。
【請求項１０】
１つ以上のクライアント端末と、メッセージ管理サーバと、ブログ・サーバと、が通信回線により相互に接続されたブログ更新システムにおいて、
前記ブログ・サーバに、
前記メッセージ管理サーバより送信されたステータス変更情報と、ユーザの情報とを受信するステップと、
受信した前記ユーザの情報により前記ユーザと紐付けられたブログ・データベースを識別するステップと、
前記ステータス変更情報を識別された前記ブログ・データベースに時刻情報と共に記憶するステップと、
を実行させるプログラム。
【請求項１１】
１つ以上のクライアント端末と、メッセンジャー・サーバと、が通信回線により相互に接続されたステータス変更情報記憶システムであって、
前記メッセンジャー・サーバには、
前記クライアント端末より送信されたステータス変更情報を前記クライアント端末のユーザの情報と共に受信する受信手段と、
前記ステータス変更情報を送信した前記クライアント端末のユーザを識別するユーザ識別手段と、
識別されたユーザの前記ステータス変更情報を時刻情報と共にステータス変更情報履歴として記憶する記憶手段と、
記憶された前記ステータス変更情報履歴から、前記ユーザにより許諾された他のユーザが閲覧可能なステータス変更情報履歴を、前記ユーザが選定する入力を受け付ける選定手段と、
選定された前記ステータス変更情報履歴を閲覧可能とする閲覧手段と、
を備えるステータス変更情報記憶システム。
【請求項１２】
１つ以上のクライアント端末と、メッセンジャー・サーバと、が通信回線により相互に接続されたシステムにおけるステータス変更情報記憶方法であって、
前記メッセンジャー・サーバが、
前記クライアント端末より送信されたステータス変更情報を前記クライアント端末のユーザの情報と共に受信するステップと、
前記ステータス変更情報を送信した前記クライアント端末のユーザを識別するステップと、
識別されたユーザの前記ステータス変更情報を時刻情報と共にステータス変更情報履歴として記憶するステップと、
記憶された前記ステータス変更情報履歴から、前記ユーザにより許諾された他のユーザが閲覧可能なステータス変更情報履歴を、前記ユーザが選定する入力を受け付けるステップと、
選定された前記ステータス変更情報履歴を閲覧可能とするステップと、
を有するステータス変更情報記憶方法。
【請求項１３】
１つ以上のクライアント端末と、メッセンジャー・サーバと、が通信回線により相互に接続されたステータス変更情報記憶システムに使用されるプログラムであって、
前記メッセンジャー・サーバに、
前記クライアント端末より送信されたステータス変更情報を前記クライアント端末のユーザの情報と共に受信するステップと、
前記ステータス変更情報を送信した前記クライアント端末のユーザを識別するステップと、
識別されたユーザの前記ステータス変更情報を時刻情報と共にステータス変更情報履歴として記憶するステップと、
記憶された前記ステータス変更情報履歴から、前記ユーザにより許諾された他のユーザが閲覧可能なステータス変更情報履歴を、前記ユーザが選定する入力を受け付けるステップと、
選定された前記ステータス変更情報履歴を閲覧可能とするステップと、
を実行させるプログラム。
【請求項１４】
クライアント端末と、メッセンジャー・サーバと、投稿されたメッセージをＷｅｂページ上に表示させる投稿サーバと、が通信回線により相互に接続されたステータス変更情報送信システムであって、
前記メッセンジャー・サーバは、
前記クライアント端末から前記クライアント端末の使用者であるユーザの情報と共にステータス変更情報を受信する受信手段と、
前記受信手段により受信した前記ステータス変更情報を、前記ユーザの情報と共に前記投稿サーバに送信する送信手段と、
を備え、
前記投稿サーバは、
前記メッセンジャー・サーバから前記ステータス変更情報を、前記ユーザの情報と共に受信する受信手段と、
受信した前記ステータス変更情報を、受信した前記ユーザの情報に基づき前記ユーザのメッセージとして前記Ｗｅｂページに書き込む書込手段と、
を備えるステータス変更情報送信システム。
【請求項１５】
前記メッセンジャー・サーバは、
前記ユーザごとに前記クライアント端末から受信した前記ステータス変更情報を、前記投稿サーバに送信するか否かを決定する決定手段を備え、
前記決定手段により前記ステータス変更情報を送信することが決定された場合に、前記送信手段は、前記ステータス変更情報を送信する請求項１４に記載のステータス変更情報送信システム。
【請求項１６】
前記メッセンジャー・サーバの前記決定手段は、前記ステータス変更情報の内容に応じて、前記投稿サーバに送信するか否かを決定する請求項１５に記載のステータス変更情報送信システム。
【請求項１７】
前記メッセンジャー・サーバの前記受信手段は、前記クライアント端末から入力された単位時間あたりの入力速度に応じて前記クライアント端末で決定された、前記ステータス変更情報を受信する請求項１４から１６のいずれかに記載のステータス変更情報送信システム。
【請求項１８】
クライアント端末と、メッセンジャー・サーバと、投稿されたメッセージをＷｅｂページ上に表示させる投稿サーバと、が通信回線により相互に接続されたシステムにおける投稿方法であって、
前記メッセンジャー・サーバが、
前記クライアント端末から前記クライアント端末の使用者であるユーザの情報と共にステータス変更情報を受信するステップと、
受信した前記ステータス変更情報を、前記ユーザの情報と共に前記投稿サーバに送信するステップと、
を有し、
前記投稿サーバが、
前記メッセンジャー・サーバから前記ステータス変更情報を、前記ユーザの情報と共に受信するステップと、
受信した前記ステータス変更情報を、受信した前記ユーザの情報に基づき前記ユーザのメッセージとして前記Ｗｅｂページに書き込むステップと、
を有する投稿方法。
【請求項１９】
クライアント端末と、メッセンジャー・サーバと、投稿されたメッセージをＷｅｂページ上に表示させる投稿サーバと、が通信回線により相互に接続されたステータス変更情報送信システムにおいて、
前記メッセンジャー・サーバに、
前記クライアント端末から前記クライアント端末の使用者であるユーザの情報と共にステータス変更情報を受信するステップと、
受信した前記ステータス変更情報を、前記ユーザの情報と共に前記投稿サーバに送信するステップと、
を実行させるプログラム。
【請求項２０】
クライアント端末と、メッセンジャー・サーバと、投稿されたメッセージをＷｅｂページ上に表示させる投稿サーバと、が通信回線により相互に接続されたステータス変更情報送信システムにおいて、
前記投稿サーバに、
前記メッセンジャー・サーバからステータス変更情報を、ユーザの情報と共に受信するステップと、
受信した前記ステータス変更情報を、受信した前記ユーザの情報に基づき前記ユーザのメッセージとして前記Ｗｅｂページに書き込むステップと、
を実行させるプログラム。
【発明の詳細な説明】
【技術分野】
【０００１】
本発明は、ステータス変更情報に関するブログ更新システム、ステータス変更情報記憶システム、ステータス変更情報送信システム、それらの方法、およびそれらのプログラムに関する。
【背景技術】
【０００２】
ブログ（ｂｌｏｇ）とは、ウェブログ（ｗｅｂｌｏｇ）を省略した言葉で、日付入りの記事ページを中心としたウェブサイトである。それぞれの記事にリンクを張ることができ、記事ごとにコメントを付けられる、新しい記事が常に上部に表示されるといった特性をもつサイトを、ブログと呼ぶ場合が多い。
【０００３】
従来のウェブサイトでは、ＨＴＭＬエディタ等で、ページを１ページずつ作っていく必要があったが、ブログでは、文章を入力するだけで簡単にページを作れるツールやサービスが充実しているため、簡単にページの作成、更新が可能である。
【０００４】
また、記事ページ、目次ページのデザイン、見た目を簡単に変更できる点、記事をカテゴリや月ごとに自動的に分類して表示できる点等も特徴である。ブログは２０００年ごろから米国を中心に広がり始め、ニュースやインターネット上の出来事を紹介しながら意見を述べられる点、ほかのブログ記事を参照しながら投稿できる点等が注目され、急速に普及した。
【０００５】
一方、メッセンジャーはインスタント・メッセンジャー（ｉｎｓｔａｎｔ  ｍｅｓｓｅｎｇｅｒ）とも呼ばれ、特定の人と人とが、ネットワークを通じてパソコン上の文字によりコミュニケーションができる通信ソフトのことである。これは、電子メールにも似た機能を持っているが、電子メールとは次の点で大きく異なる。
【０００６】
電子メールの場合、送信後、そのメールは一旦プロバイダのコンピュータ（メールサーバという）に保存される。そして、相手がメールサーバからメールを受信する。ところが、「相手がメールサーバからメールを受信する」とはいっても、毎日、常時メールを受信しているわけではない。今日送信しても、相手が見るのは運がよくて数分後、最悪の場合２、３日後ということもある。
【０００７】
他方、電子メールの場合には、相手とのコミュニケーションや情報伝達手段としての使用以外に、自身の備忘録として、例えば、スケジュールやメモ等を電子メールの本文中に記載して、自己のメールアドレスに送信するという使用方法がある。自己が送信した電子メールを見ることで、失念することを防止する。
【０００８】
これに対して、メッセンジャーでは、まず、メッセージを送る相手のパソコンがオンラインか否かをチェックできる。相手がオンラインならば、メッセージを送信すると、瞬時に相手のパソコン上にそのメッセージが表示される。これが、メッセンジャーの最大の特徴である。
【０００９】
メッセンジャーの機能を用いて、チャットを行うこともできる。しかし、「相手の状態をチェックでき、即時にメッセージが伝わることを、また、相手から即時に応答を得られることを確認（あるいは期待）した上で、利用することができる」という点で、やはりチャットと異なる。相手の状態をチェックできるのは、メッセンジャーにはステータスという自分の状態を表す機能があるからである。さらにメッセンジャーでは、文字メッセージによる通信にとどまらず、音声による通信も可能である。
【００１０】
従来ブログとメッセンジャーとは各々その有用性について注目されてきた。このため、ウェブログ・サーバが有するエントリーを分類したカテゴリ情報、および知人情報を用いて、目的とする知識に関して相互に評価し合い一定の信頼をおく人脈を抽出し、この人脈に属するウェブログのコンテンツから信頼性の高い知識を取得する提案がある（特許文献１参照）。
しかし、ブログとメッセンジャーの利点を生かしたシステムについては、見当たらない。
【特許文献１】特開２００６−１６４０８６号公報
【００１１】
また、近年、ブログ以外に様々な自己の情報を発信する手段が次々と生み出されており、ブログに限らず、情報発信する様々な態様が存在する。そして、自己の情報を、これらの情報発信手段を利用して、手間をかけずに気軽に発信したいというニーズが存在する。
【発明の開示】
【発明が解決しようとする課題】
【００１２】
本発明は、ブログの記録性に優れた静的特性とメッセンジャーや電子メール等のリアルタイム性のある動的性質の利点を組み合わせたブログの更新システム、その方法、およびそれらのプログラムを提供することを目的とする。
【００１３】
また、メッセンジャーの自己の状況を発信する機能を生かしたメッセンジャーによるＷｅｂページへの投稿システム、その方法、およびそれらのプログラムを提供することを目的とする。
【課題を解決するための手段】
【００１４】
本発明者は、メッセンジャー等を利用したステータスを変更することに合わせて関連するブログを更新する利点を見出し、それを具体的に実現する以下の本発明を完成するに至った。
【００１５】
（１）  １つ以上のクライアント端末と、メッセージ管理サーバと、ブログ・サーバと、が通信回線により相互に接続されたブログ更新システムであって、前記メッセージ管理サーバには、前記クライアント端末より送信されたステータス変更情報を前記クライアント端末のユーザの情報と共に受信する受信手段と、前記ステータス変更情報を送信した前記クライアント端末のユーザを識別するユーザ識別手段と、識別されたユーザのブログが記憶されているブログ・サーバを検索する検索手段と、前記ステータス変更情報と前記ユーザの情報とを検索された当該ブログ・サーバに送信する送信手段と、を備え、前記ブログ・サーバには、前記メッセージ管理サーバより送信された前記ステータス変更情報と、前記ユーザの情報とを受信する受信手段と、受信した前記ユーザの情報により前記ユーザと紐付けられたブログ・データベースを識別するブログ・データベース識別手段と、前記ステータス変更情報を識別された前記ブログ・データベースに時刻情報と共に記憶するブログ記憶手段と、を備えるブログ更新システム。
【００１６】
（１）の発明によれば、本発明のブログ更新システムではメッセージ管理サーバと、ブログ・サーバと、が通信回線により相互に接続されている。メッセージ管理サーバの受信手段は、クライアント端末より送信されたステータス変更情報をクライアント端末のユーザの情報と共に受信する。受信すると、ユーザ識別手段は、ステータス変更情報を送信したクライアント端末のユーザを識別する。そして、検索手段は、識別されたユーザのブログが記憶されているブログ・サーバを検索する。送信手段は、ステータス変更情報とユーザの情報とを検索された当該ブログ・サーバに送信する。
【００１７】
ブログ・サーバの受信手段は、メッセージ管理サーバより送信されたステータス変更情報と、ユーザの情報とを受信する。受信すると、ブログ・データベース識別手段は、ユーザの情報によりユーザと紐付けられたブログ・データベースを識別する。そして、ブログ記憶手段は、ステータス変更情報を識別されたブログ・データベースに時刻情報と共に記憶する。
【００１８】
このようにして、メッセージ管理サーバがクライアント端末から受信したステータス変更情報に対応してブログを更新することができる。よって、自己の情報としてステータス変更情報を使用することで、ブログの更新を、手間をかけずに気軽に行うことができ、ブログ更新の利便性が向上する。ここで、ステータス変更情報とは、クライアント端末を使用するユーザから発信される情報をいい、メッセージを含む概念である。ユーザ識別手段は、クライアント端末からステータス変更情報を送信した送信者を識別する手段である。コンピュータのハードウェアに識別するソフトをインストールすることにより実現することができる。通常はユーザ個人を識別するＩＤとパスワードによる方法がとられる。ただし、それに限らず指紋、静脈パターンによる方法、識別ラベルによる方法等を用いてもよい。
【００１９】
（２）  前記メッセージ管理サーバは、電子メールサーバであり、前記メッセージ管理サーバの前記受信手段は、電子メールに記載されたメッセージを前記ステータス変更情報として前記クライアント端末から受信する（１）に記載のブログ更新システム。
【００２０】
（２）に記載の発明は、電子メールサーバであるメッセージ管理サーバに関するものである。メッセージ管理サーバの受信手段は、電子メールに記載されたメッセージをステータス変更情報としてクライアント端末から受信する。
【００２１】
このようにして、電子メールサーバは、電子メールに記載されたメッセージを、ステータス変更情報としてクライアント端末から受信するので、メッセージによりブログの更新をすることができる。よって、例えば、備忘録として自己のメールアドレスに送信したスケジュール等の電子メールの内容を、ブログに公開することができるので、日々の出来事を後から思い返す手間を省き、ブログを作成する補助となりうる。また、他人宛に送信した電子メールの本文の内容や電子メールの件名等の情報に基づきブログを更新することができる。
【００２２】
（３）前記メッセージ管理サーバは、ショート・メッセージ・サービスの機能を有し、前記クライアント端末は、携帯電話機であり、前記メッセージ管理サーバの前記受信手段は、前記クライアント端末において作成されたメッセージを前記ステータス変更情報として前記ショート・メッセージ・サービスを用いて受信する（１）に記載のブログ更新システム。
【００２３】
（３）に記載の発明は、ショート・メッセージ・サービスの機能を有するメッセージ管理サーバに関するものである。また、クライアント端末は、携帯電話機である。そして、メッセージ管理サーバの受信手段は、クライアント端末において作成されたメッセージをステータス変更情報としてショート・メッセージ・サービスを用いて受信する。
【００２４】
このようにして、メッセージ管理サーバは、携帯電話機から送信されたメッセージを、ステータス変更情報として受信するので、メッセージによりブログの更新をすることができる。ショート・メッセージ・サービス（ＳＭＳ）は、電子メールより文字数が制限されるが、同キャリアであればメールアドレスを取得せずに電話番号を用いて文字によるメッセージの交換ができるサービスである。よって、ユーザが日頃携帯している携帯電話機を用いて、気軽にブログの更新をすることができる。
【００２５】
（４）  １つ以上のクライアント端末と、メッセンジャー・サーバと、ブログ・サーバと、が通信回線により相互に接続されたブログ更新システムであって、前記メッセンジャー・サーバには、前記クライアント端末より送信されたステータス変更情報を前記クライアント端末のユーザの情報と共に受信する受信手段と、前記ステータス変更情報を送信した前記クライアント端末のユーザを識別するユーザ識別手段と、識別されたユーザのブログが記憶されているブログ・サーバを検索する検索手段と、前記ステータス変更情報と前記ユーザの情報とを検索された当該ブログ・サーバに送信する送信手段と、を備え、前記ブログ・サーバには、前記メッセンジャー・サーバより送信された前記ステータス変更情報と、前記ユーザの情報とを受信する受信手段と、受信した前記ユーザの情報により前記ユーザと紐付けられたブログ・データベースを識別するブログ・データベース識別手段と、前記ステータス変更情報を識別された前記ブログ・データベースに時刻情報と共に記憶するブログ記憶手段と、を備えるブログ更新システム。
【００２６】
（４）の発明によれば、本発明のブログ更新システムでは１つ以上のクライアント端末と、メッセンジャー・サーバと、ブログ・サーバとが通信回線により相互に接続されている。メッセンジャー・サーバの受信手段はクライアント端末より送信されたステータス変更情報を受信する。受信すると、識別手段によりステータス変更情報を送信したユーザを識別する。そして、識別されたユーザのブログが記憶されているブログ・サーバを検索手段により検索する。ステータス変更情報と識別されたユーザの情報は検索された当該ブログ・サーバに送信手段により送信される。
【００２７】
ブログ・サーバでは、メッセンジャー・サーバより送信されたステータス変更情報と識別されたユーザの情報を受信手段により受信する。受信したユーザの情報によりユーザと紐付けられたブログ・データベースを識別手段により識別する。ステータス変更情報を識別されたブログ・データベースに時刻情報と共にブログ記憶手段により記憶する。なお、時刻情報はメッセンジャー・サーバ、ブログ・サーバのいずれで取得することとしてもよい。
【００２８】
このようにして、メッセンジャーのステータス変更情報に対応してブログを更新することができる。ここで、ステータス変更情報とは、メッセンジャーにおいて自分の状態を示すステータスを変更することに関して、（イ）ステータスが変更された、という情報と、（ロ）新しく設定されたステータスの情報という２つ場合が含まれる。例えば、メッセンジャーを起動すると、通常「使用中」というステータスが自動的に設定される（ただし、本発明のブログ更新システムにおいては、この「使用中」ステータスは、何らのステータスも設定されていないものとして認識されうる。）のであるが、このステータスを「ただいま多忙」や「すぐ戻ります」等に変更した場合において、「使用中」というステータスが変更されたという情報が（イ）であり、変更後の「ただいま多忙」、「すぐ戻ります」等のステータスが（ロ）に該当する。ステータスは、「ただいま多忙」や「すぐ戻ります」等のように、頻繁に使用するものとしてあらかじめ用意されているもののほか、ユーザが自由に設定することが可能となっている（これをステータスのカスタマイズ機能という）。
【００２９】
（５）  前記メッセンジャー・サーバには、前記クライアント端末より送信されたステータス変更情報が前記ユーザのブログに掲載することが適切か否かを判定する判定手段と、前記ステータス変更情報が前記ユーザのブログに掲載することが不適切な場合には、警告を前記クライアント端末に返信する警告返信手段と、をさらに備えた（４）に記載のブログ更新システム。
【００３０】
（５）に記載の発明は、（４）に記載の発明に判定手段をさらに備える。判定手段はクライアント端末より送信されたステータス変更情報がブログで公開することが適切か否かを判定する。ステータス変更情報がブログで公開することが不適切な場合は警告を警告返信手段がクライアント端末に返信する。
【００３１】
メッセンジャーによるステータスの設定（ここでは専らカスタマイズ機能によって自由にステータスを設定する場合を想定している。）は、いわゆる「お友達登録」をしている限られた範囲の人々にはそのステータスを見せてもよいということが前提となっている。一方、ブログで公開されるということは、原則として世界中の人が見ることができるということを意味する。したがって、不注意にステータスを変更してしまったという場合に備えて、その内容が公開することに適さない場合は、警告をクライアント端末に返信する。警告を受けたユーザはステータスを元に戻したり、ブログへの掲載を中止するよう指令を出したりして、対応することができる。もちろん、警告を受けてもあえてブログへの掲載を止めないことも可能である。
【００３２】
（６）  前記ブログ・サーバには、受信された前記ステータス変更情報にＵＲＬリンクの添付の有無を解析するステータス情報解析手段をさらに備え、前記ブログ記憶手段はさらに、前記ステータス情報解析手段により解析した結果、ＵＲＬリンクが添付されている場合には、前記ステータス変更情報が有する文言情報とＵＲＬリンク情報とを区別して前記ユーザのブログ・データベースに各々時刻情報と共に記憶する（１）から（５）のいずれかに記載のブログ更新システム。
【００３３】
（６）に記載の発明は、（１）から（５）のいずれかに記載の発明にステータス情報解析手段をさらに備える。ステータス情報解析手段は受信されたステータス変更情報にＵＲＬリンクの添付の有無を解析する。ＵＲＬリンクが添付されている場合は、前記ステータス変更情報の文言情報とＵＲＬリンク情報を区別して前記ユーザのブログ・データベースに時刻情報と共に記憶する。
【００３４】
したがって、ステータス変更情報にＵＲＬリンクが添付されている場合にも対応することができ、メッセンジャーのステータスに添付されているＵＲＬが、ブログ上にＵＲＬリンクとして表示されることとなり、記事に関連するＵＲＬリンクを自動的に記載することができるようになる。こうして、メッセンジャーとブログとが密接に関連したシステムを構築することができる。
【００３５】
（７）  前記ブログ・サーバの前記受信手段は、前記クライアント端末から前記ユーザの情報と共に時刻情報を有するコンテンツを受信し、前記ブログ・サーバの前記ブログ記憶手段は、前記ブログ・データベース識別手段により識別された前記ブログ・データベースに、前記コンテンツを前記コンテンツが有する前記時刻情報と共に記憶する（１）から（６）のいずれかに記載のブログ更新システム。
【００３６】
（７）に記載の発明は、ブログ・サーバは、クライアント端末から時刻情報を有するコンテンツを受信して、識別されたブログ・データベースに時刻情報と共にコンテンツを記憶する。
【００３７】
ブログ・サーバが、クライアント端末から受信するコンテンツは、例えば、写真、映像、音楽等をいう。これらは、コンテンツの中に時刻情報を有し、クライアント端末に記憶され、または、クライアント端末を介することにより得られるものである。このようなコンテンツが、あらかじめブログに掲載されていれば、ユーザは、ブログの更新する際にコンテンツに基づきコメントを記入すればよく、ブログの作成を補助する有効な手段である。このように、ブログの作成を補助し、効率よくブログの作成をすることができ、また、メッセンジャーのステータスと相俟って、よりユーザにブログを更新させる効果が期待できる。
【００３８】
（８）  １つ以上のクライアント端末と、メッセージ管理サーバと、ブログ・サーバと、が通信回線により相互に接続されたシステムにおけるブログ更新方法であって、前記メッセージ管理サーバが、前記クライアント端末より送信されたステータス変更情報を前記クライアント端末のユーザの情報と共に受信するステップと、前記ステータス変更情報を送信した前記クライアント端末のユーザを識別するステップと、識別されたユーザのブログが記憶されているブログ・サーバを検索するステップと、前記ステータス変更情報と前記ユーザの情報とを検索された当該ブログ・サーバに送信するステップと、を有し、前記ブログ・サーバが、メッセージ管理サーバより送信された前記ステータス変更情報と、前記ユーザの情報とを受信するステップと、受信した前記ユーザの情報により前記ユーザと紐付けられたブログ・データベースを識別するステップと、前記ステータス変更情報を識別された前記ブログ・データベースに時刻情報と共に記憶するステップと、を有するブログ更新方法。
【００３９】
（８）の発明はブログ更新方法に関するものである。これらの方法を使うことにより、（１）の説明と同様の作用効果を得ることができる。
【００４０】
（９）  １つ以上のクライアント端末と、メッセージ管理サーバと、ブログ・サーバと、が通信回線により相互に接続されたブログ更新システムにおいて、前記メッセージ管理サーバに、前記クライアント端末より送信されたステータス変更情報を前記クライアント端末のユーザの情報と共に受信するステップと、前記ステータス変更情報を送信した前記クライアント端末のユーザを識別するステップと、識別されたユーザのブログが記憶されているブログ・サーバを検索するステップと、前記ステータス変更情報と前記ユーザの情報とを検索された当該ブログ・サーバに送信するステップと、を実行させるプログラム。
【００４１】
（１０）  １つ以上のクライアント端末と、メッセージ管理サーバと、ブログ・サーバと、が通信回線により相互に接続されたブログ更新システムにおいて、前記ブログ・サーバに、前記メッセージ管理サーバより送信されたステータス変更情報と、ユーザの情報とを受信するステップと、受信した前記ユーザの情報により前記ユーザと紐付けられたブログ・データベースを識別するステップと、前記ステータス変更情報を識別された前記ブログ・データベースに時刻情報と共に記憶するステップと、を実行させるプログラム。
【００４２】
（９）と（１０）の発明は、プログラムに関するものである。これらのプログラムをメッセージ管理サーバとブログ・サーバとの各々に読み込ませて動作させることにより（１）の発明と同様な作用効果を得ることができる。
【００４３】
また、本発明者は、ステータスを変更するに合わせてメッセンジャー・サーバ内にステータス変更情報履歴を記憶し、記憶した内容を許諾ユーザ（いわゆる「お友達登録」をしている人等）に閲覧を許諾することによりブログを更新することに相当する利点があることを見出し、それを具体的に実現する以下の本発明を完成するに至った。
【００４４】
（１１）  １つ以上のクライアント端末と、メッセンジャー・サーバと、が通信回線により相互に接続されたステータス変更情報記憶システムであって、前記メッセンジャー・サーバには、前記クライアント端末より送信されたステータス変更情報を前記クライアント端末のユーザの情報と共に受信する受信手段と、前記ステータス変更情報を送信した前記クライアント端末のユーザを識別するユーザ識別手段と、識別されたユーザの前記ステータス変更情報を時刻情報と共にステータス変更情報履歴として記憶する記憶手段と、記憶された前記ステータス変更情報履歴から、前記ユーザにより許諾された他のユーザが閲覧可能なステータス変更情報履歴を、前記ユーザが選定する入力を受け付ける選定手段と、選定された前記ステータス変更情報履歴を閲覧可能とする閲覧手段と、を備えるステータス変更情報記憶システム。
【００４５】
（１１）に記載の発明は、メッセンジャー・サーバのみで、上記の発明と同様な効果を持たせようとするものである。（１１）に記載の発明のステータス変更情報記憶システムは、１つ以上のクライアント端末と、メッセンジャー・サーバとが通信回線により相互に接続されている。クライアント端末より送信されたステータス変更情報を受信手段により受信する。ユーザ識別手段はステータス変更情報を送信したユーザを識別する。そして、識別されたユーザのステータス変更情報を時刻情報と共にステータス変更情報履歴として記憶手段に記憶する。次に、記憶されたステータス変更情報履歴のうち、識別されたユーザが許諾ユーザに閲覧させてもよいとするものを選定手段により選定する。選定されたステータス変更情報履歴は閲覧手段により許諾ユーザが閲覧可能となる。
【００４６】
以上の様にして、許諾ユーザとの関係において、ブログ・サーバで更新した場合と同様の作用効果を期待することができる。
【００４７】
（１２）  １つ以上のクライアント端末と、メッセンジャー・サーバと、が通信回線により相互に接続されたシステムにおけるステータス変更情報記憶方法であって、前記メッセンジャー・サーバが、前記クライアント端末より送信されたステータス変更情報を前記クライアント端末のユーザの情報と共に受信するステップと、前記ステータス変更情報を送信した前記クライアント端末のユーザを識別するステップと、識別されたユーザの前記ステータス変更情報を時刻情報と共にステータス変更情報履歴として記憶するステップと、記憶された前記ステータス変更情報履歴から、前記ユーザにより許諾された他のユーザが閲覧可能なステータス変更情報履歴を、前記ユーザが選定する入力を受け付けるステップと、選定された前記ステータス変更情報履歴を閲覧可能とするステップと、を有するステータス変更情報記憶方法。
【００４８】
（１２）の発明はステータス変更情報記憶方法に関するものである。これらの方法を使うことにより、（１１）の説明と同様の作用効果を得ることができる。
【００４９】
（１３）  １つ以上のクライアント端末と、メッセンジャー・サーバと、が通信回線により相互に接続されたステータス変更情報記憶システムに使用されるプログラムであって、前記メッセンジャー・サーバに、前記クライアント端末より送信されたステータス変更情報を前記クライアント端末のユーザの情報と共に受信するステップと、前記ステータス変更情報を送信した前記クライアント端末のユーザを識別するステップと、識別されたユーザの前記ステータス変更情報を時刻情報と共にステータス変更情報履歴として記憶するステップと、記憶された前記ステータス変更情報履歴から、前記ユーザにより許諾された他のユーザが閲覧可能なステータス変更情報履歴を、前記ユーザが選定する入力を受け付けるステップと、選定された前記ステータス変更情報履歴を閲覧可能とするステップと、を実行させるプログラム。
【００５０】
（１３）の発明は、プログラムに関するものである。これらのプログラムをメッセンジャー・サーバに読み込ませて動作させることにより（１１）の発明と同様な作用効果を得ることができる。
【００５１】
（１４）  クライアント端末と、メッセンジャー・サーバと、投稿されたメッセージをＷｅｂページ上に表示させる投稿サーバと、が通信回線により相互に接続されたステータス変更情報送信システムであって、前記メッセンジャー・サーバは、前記クライアント端末から前記クライアント端末の使用者であるユーザの情報と共にステータス変更情報を受信する受信手段と、前記受信手段により受信した前記ステータス変更情報を、前記ユーザの情報と共に前記投稿サーバに送信する送信手段と、を備え、前記投稿サーバは、前記メッセンジャー・サーバから前記ステータス変更情報を、前記ユーザの情報と共に受信する受信手段と、受信した前記ステータス変更情報を、受信した前記ユーザの情報に基づき前記ユーザのメッセージとして前記Ｗｅｂページに書き込む書込手段と、を備えるステータス変更情報送信システム。
【００５２】
（１４）の発明によれば、クライアント端末と、メッセンジャー・サーバと、投稿サーバと、が通信回線により相互に接続されている。メッセンジャー・サーバは、クライアント端末からクライアント端末の使用者であるユーザの情報と共にステータス変更情報を受信する。そして、ステータス変更情報を、ユーザの情報と共に投稿サーバに送信する。投稿サーバは、ステータス変更情報を、ユーザの情報と共にメッセンジャー・サーバから受信する。そして、受信したステータス変更情報を、受信したユーザの情報に基づきユーザのメッセージとして前記Ｗｅｂページに書き込む。つまり、ステータス更新情報が、投稿されたメッセージとしてＷｅｂページ上に表示される。
【００５３】
このようにして、メッセンジャーのステータス変更情報に対応してメッセージを投稿することができる。ステータス変更情報に含まれる新しく設定されたステータスの情報をそのままメッセージとして投稿してもよいし、ステータスの情報に対応する絵文字等の付随情報を含んで投稿してもよい。よって、ステータス変更情報を自己の情報として、手間をかけずに気軽に発信することができる。
【００５４】
（１５）  前記メッセンジャー・サーバは、前記ユーザごとに前記クライアント端末から受信した前記ステータス変更情報を、前記投稿サーバに送信するか否かを決定する決定手段を備え、前記決定手段により前記ステータス変更情報を送信することが決定された場合に、前記送信手段は、前記ステータス変更情報を送信する（１４）に記載のステータス変更情報送信システム。
【００５５】
（１５）の発明によれば、メッセンジャー・サーバは、ユーザごとにクライアント端末から受信したステータス変更情報を、投稿サーバに送信するか否かを決定する。そして、ステータス変更情報を送信することが決定された場合に、ステータス変更情報を送信する。
【００５６】
（１６）  前記メッセンジャー・サーバの前記決定手段は、前記ステータス変更情報の内容に応じて、前記投稿サーバに送信するか否かを決定する（１５）に記載のステータス変更情報送信システム。
【００５７】
（１６）の発明によれば、メッセンジャー・サーバは、ステータス変更情報の内容に応じて、投稿サーバに送信するか否かを決定する。
【００５８】
メッセンジャー・サーバは、ステータス変更情報を、例えば、ステータス変更情報の内容に応じて、投稿サーバに送信するか否かを決定する。ステータス変更情報の内容とは、例えば、夜中であればステータス変更情報を送信しないという時間に関するものや、カスタマイズしたステータス情報のみ送信するというステータスの文言に関するもの等である。よって、メッセージとして投稿するか否かを設定により決定することができる。
【００５９】
（１７）  前記メッセンジャー・サーバの前記受信手段は、前記クライアント端末から入力された単位時間あたりの入力速度に応じて前記クライアント端末で決定された、前記ステータス変更情報を受信する（１４）から（１６）のいずれかに記載のステータス変更情報送信システム。
【００６０】
（１７）の発明によれば、メッセンジャー・サーバは、クライアント端末から入力された単位時間あたりの入力速度に応じてクライアント端末で決定された、ステータス変更情報を受信する。
【００６１】
メッセンジャー・サーバが受信するステータス変更情報は、クライアント端末での単位時間の入力速度、つまり、例えば、キーボードで入力した文字の速さや、マウスをクリックした回数等の、ユーザの入力に関する操作の速度により生成されたステータス変更情報である。よって、いちいちユーザがステータスを変更しなくても、自動的にステータスを変更しうるので、煩雑な操作をユーザが行わずに済む。
【００６２】
（１８）  クライアント端末と、メッセンジャー・サーバと、投稿されたメッセージをＷｅｂページ上に表示させる投稿サーバと、が通信回線により相互に接続されたシステムにおける投稿方法であって、前記メッセンジャー・サーバが、前記クライアント端末から前記クライアント端末の使用者であるユーザの情報と共にステータス変更情報を受信するステップと、受信した前記ステータス変更情報を、前記ユーザの情報と共に前記投稿サーバに送信するステップと、を有し、前記投稿サーバが、前記メッセンジャー・サーバから前記ステータス変更情報を、前記ユーザの情報と共に受信するステップと、受信した前記ステータス変更情報を、受信した前記ユーザの情報に基づき前記ユーザのメッセージとして前記Ｗｅｂページに書き込むステップと、を有する投稿方法。
【００６３】
（１８）の発明はステータス変更情報をメッセージとして投稿する方法に関するものである。これらの方法を使うことにより、（１４）の説明と同様の作用効果を得ることができる。
【００６４】
（１９）  クライアント端末と、メッセンジャー・サーバと、投稿されたメッセージをＷｅｂページ上に表示させる投稿サーバと、が通信回線により相互に接続されたステータス変更情報送信システムにおいて、前記メッセンジャー・サーバに、前記クライアント端末から前記クライアント端末の使用者であるユーザの情報と共にステータス変更情報を受信するステップと、受信した前記ステータス変更情報を、前記ユーザの情報と共に前記投稿サーバに送信するステップと、を実行させるプログラム。
【００６５】
（１９）の発明は、プログラムに関するものである。これらのプログラムをメッセンジャー・サーバに読み込ませて動作させることにより（１４）の発明と同様な作用効果を得ることができる。
【００６６】
（２０）  クライアント端末と、メッセンジャー・サーバと、投稿されたメッセージをＷｅｂページ上に表示させる投稿サーバと、が通信回線により相互に接続されたステータス変更情報送信システムにおいて、前記投稿サーバに、前記メッセンジャー・サーバからステータス変更情報を、ユーザの情報と共に受信するステップと、受信した前記ステータス変更情報を、受信した前記ユーザの情報に基づき前記ユーザのメッセージとして前記Ｗｅｂページに書き込むステップと、を実行させるプログラム。
【００６７】
（２０）の発明は、プログラムに関するものである。これらのプログラムを投稿サーバに読み込ませて動作させることにより（１４）の発明と同様な作用効果を得ることができる。
【発明の効果】
【００６８】
本発明によれば、ブログの記録性に優れた静的性質とメッセンジャーや電子メール等のリアルタイム性のある動的性質の利点を組み合わせてブログを更新するという、ブログの更新システム、その方法、およびそれらのプログラムを提供することができる。また、メッセンジャー・サーバに必要な手段、ステップ等を備えることにより同様な効果を期待することができる。
【００６９】
また、本発明によれば、メッセンジャーの自己の状況を発信する機能を生かしたメッセンジャーによるＷｅｂページへの投稿システム、その方法、およびそれらのプログラムを提供することができるので、ステータス変更情報を自己の情報として、手間をかけずに気軽に発信することができる。
【発明を実施するための最良の形態】
【００７０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００７１】
［第１の実施例］
図１は、本発明の好適な一実施形態であるブログ更新システム１の概略を示した図である。図２は、本発明のブログ更新システム１の処理の流れを示した図である。図３は、メッセンジャーの使用状態を示す図である。図４および図５は、ブログの一例を示す図である。以下本発明について、図１から図５を参照して説明をする。
【００７２】
図１の実施形態においてブログ更新システム１は、１つ以上のクライアント端末（１０ａ、・・・、１０ｘ、・・・、１０ｙ、以下１０ｘという）と、メッセージ管理サーバとしてメッセンジャー・サーバ７０と、ブログ・サーバ８０とが相互に通信回線５０により接続されている。
【００７３】
メッセンジャー・サーバ７０は、クライアント端末１０ｘより送信されたステータス変更情報を受信する受信手段７１と、ユーザを識別するユーザ識別手段７２と、識別されたユーザのブログが記憶されているブログ・サーバ８０を検索する検索手段７３と、ステータス変更情報と識別されたユーザの情報とを検索されたブログ・サーバ８０に送信する送信手段７４と、クライアント端末１０ｘより送信されたステータス変更情報をブログに掲載することが適切か否かを判定する判定手段７６と、ステータス変更情報をブログに掲載することが不適切な場合には警告をクライアント端末１０ｘに返信する警告返信手段７８と、を備える。また、メッセンジャー・サーバ７０には記憶手段７０ａが接続されている。
【００７４】
ブログ・サーバ８０は、メッセンジャー・サーバ７０より送信されたステータス変更情報を受信する受信手段８２と、受信したユーザの情報によりユーザと紐付けられたブログ・データベースを識別するブログ・データベース識別手段８４と、受信されたステータス変更情報にＵＲＬリンクの添付の有無を解析するステータス情報解析手段８６と、を備える。また、ブログ・サーバ８０には、ステータス変更情報を時刻情報と共にブログ・データベースに記憶するブログ記憶手段８０ａが接続される。
【００７５】
メッセンジャー・サーバ７０とブログ・サーバ８０のハードウェアの具体例については図１４で詳細に後述する。
【００７６】
次に、ブログ更新システム１の処理の流れを図２のフローにしたがって説明する。まず、クライアント端末１０ｘよりステータス変更情報がメッセンジャー・サーバ７０に送信されると、メッセンジャー・サーバ７０の受信手段７１により受信される。この際、クライアント端末１０ｘからステータス変更情報を送信したユーザが、ログイン情報に基づいて識別される。
【００７７】
図３に、ステータス変更情報の例を示す。図３の例のように、メッセンジャー・システムでは、図３の左上の図に示す「メッセンジャー（Ｍ）」のところにカーソルを合わせて選択すると、図３の右上の図のように「自分の状態（Ｕ）」、「自分の連絡先（Ｄ）」、・・・といった各種の選択肢が表示される。そこで「自分の状態（Ｕ）」を選択すると、その下の図のように「使用中」等のステータスが表示される画面が現れる。当該画面の各項目を選択することで、ステータスを変更することが可能となる。この中で、一番下の「状態をカスタマイズ」を選択すると、さらに下の図のように「状態を入力してください」画面が現れる。これによって、ユーザは自由にステータスを設定することができる。そして、選択・設定されたステータスは、他のお友達登録を行ったユーザのメッセンジャー画面に表示される。すなわち、ユーザＣＣＣが「電磁波って反射するものですね」というステータスを設定したとすると、ＣＣＣをお友達登録をしているユーザＡＡＡのメッセンジャー画面上の、ＣＣＣのところに「電磁波って反射するものですね」というステータスが表示される（図３の左上図）。
【００７８】
さて、図２にもどって説明すると、メッセンジャー・サーバ７０では次に、クライアント端末１０ｘより送信されたステータス変更情報がブログに掲載することが適切か否かを判定手段７６により判定する（Ｓ１２０）。ここで、判定は、ステータスの情報に基づいて行ってもよいし、ユーザごとに設定された情報に基づいて行ってもよい。ステータス情報がブログに掲載することが不適切な場合は警告を警告返信手段７８によりクライアント端末１０ｘに返信する。
【００７９】
ステータス変更情報がブログ掲載に適切か否かを判定したのち、識別されたユーザのブログが記憶されているブログ・サーバ８０を検索手段７３により検索する（Ｓ１３０）。そして、ステータス変更情報と識別されたユーザの情報とを検索されたブログ・サーバ８０に送信手段７４により送信する。
【００８０】
メッセンジャー・サーバ７０より送信されたステータス変更情報はブログ・サーバ８０の受信手段８２によって受信される。そして、ブログ・サーバ８０は、受信したユーザの情報によりユーザと紐付けられたブログ・データベースをブログ・データベース識別手段８４により識別する（Ｓ１４０）。
【００８１】
受信されたステータス変更情報のＵＲＬリンクの添付の有無をステータス情報解析手段８６により解析する（Ｓ１５０）。ステータス情報解析手段８６による解析の結果、ＵＲＬリンクが添付されている場合には、ステータス文言情報とＵＲＬリンク情報とを区別してユーザと紐付けられたブログ・データベースに各々の時刻情報と共にブログ記憶手段８０ａにより記憶する（Ｓ１７０）。解析の結果、ＵＲＬリンクが添付されていない場合は、ステータス文言情報と時刻情報とをブログ・データベースにブログ記憶手段８０ａにより記憶する（Ｓ１６０）。
【００８２】
ここで、ブログ・サーバ８０に記憶されているブログが表示された場合の一例を、図４に示す。上記のユーザＣＣＣのブログとして「○○太郎  ブログ」が表示されている。この例では、時刻情報と共にステータス変更情報が記憶されている。また、記憶された情報を検索しやすくするためにカレンダーが同一画面上に表示されている。カレンダーの２００６年７月２６日の部分をクリックすると、その日に投稿された記事の一覧が表示される。
【００８３】
図４の例において、時刻情報である「２００６−０７−２６  １５：００」と、ステータス変更情報である「電磁波って反射するものですね」と、ステータス変更情報に添付されたＵＲＬリンクの情報とが、本発明のブログ更新システムを利用してブログに掲載されたタイトルである。その下に表示されている記事部分は、タイトル掲載後に追記されたものである。そして、当該記事を端緒として、関連する話題についての記事（「世界保健機関（ＷＨＯ）  資料ＮＯ．２６３  電磁界と公衆衛生  超低周波とがん」以下）が複数投稿されている。
【００８４】
図２に戻って、メッセンジャー・サーバ７０では次に、クライアント端末１０ｘよりコンテンツがブログ・サーバ８０に送信されると、ブログ・サーバ８０の受信手段８２により受信される。そして、ブログ・サーバ８０では、コンテンツに含まれる時刻情報と共に、ステータス変更情報をブログ記憶手段８０ａによりブログ・データベースに記憶する（Ｓ１８０）。
【００８５】
ここで、コンテンツがブログ・サーバ８０のブログ・データベースに記憶された場合に、ブログ・サーバ８０に記憶されているブログが表示された場合の一例を、図５に示す。上述の図４のブログと比較して、コンテンツである写真が、コンテンツに有する時刻情報である写真の撮影日時と共にブログに掲載されている。これは、クライアント端末１０ｘにより、写真がブログ・サーバ８０に送信され、写真のプロパティとして写真に有する撮影日時と共に、写真がブログ・データベースに記憶されることにより、実現できる。
【００８６】
図５の例において、時刻情報である「２００６−０７−２６  １５：００」と、ステータス変更情報である「電磁波って反射するものですね」と、ステータス変更情報に添付されたＵＲＬリンクの情報とが掲載された記事の下に、「２００６−０７−２６  １４：５８」の時刻情報を有する「ａ１３５．ｊｐｇ」のタイトルの写真が掲載されている。これにより、ユーザは、後から自己のブログを表示させ、必要に応じて補足の内容を追加することができる。よって、メッセンジャーのステータスと相俟って、ユーザによりブログを更新させる効果が期待できる。
【００８７】
以上の様にして、ブログの記録性に優れた静的性質とメッセンジャーのリアルタイム性のある動的性質の利点を組み合わせたメッセンジャーによるブログの更新システムを提供することができる。このようにステータス情報がブログに転載されることによって、ブログ更新が活性化されることが期待される。ブログは日記的な電子ファイルを記録することを目的としているが、つい忙しさにかまけて更新を怠りがちである。これを、ステータス情報を自動に転載し保存しておくことで日記を半自動的に完成することができる。また、コンテンツがブログに転載されることによって、より効率よくブログの作成をすることができる。
【００８８】
［第２の実施例］
第２の実施例は、メッセンジャー・サーバ１７０のみで、上記の発明と同様な効果を持たせようとするものである。図６は、本発明の好適な一実施形態であるステータス変更情報記憶システム２の概略を示した図である。図７は、本発明のステータス変更情報記憶システム２の処理の流れを示した図である。図８は、ステータス変更情報記憶システム２のクライアント端末における表示例である。以下本発明について、図６から図８を参照して説明をする。
【００８９】
図６に示すように、本発明のステータス変更情報記憶システム２は、１つ以上のクライアント端末（１０ａ、・・・、１０ｘ、・・・、１０ｙ、以下１０ｘという）と、メッセンジャー・サーバ１７０とが通信回線５０により相互に接続されている。
【００９０】
メッセンジャー・サーバ１７０には、クライアント端末１０ｘより送信されたステータス変更情報を受信する受信手段１７２と、ステータス変更情報を受信したユーザを識別するユーザ識別手段１７４と、識別されたユーザのステータス変更情報を時刻情報と共にステータス変更情報履歴として記憶する記憶手段１７０ａと、記憶されたステータス変更情報履歴から識別されたユーザが許諾ユーザ（いわゆる「お友達登録」しているユーザ）に閲覧させてもよいとするものを選定する選定手段１７６と、選定されたステータス変更情報履歴を閲覧可能とする閲覧手段１７８と、を備える。
【００９１】
次に、ステータス変更情報記憶システム２の処理の流れを図７のフローにしたがって説明をする。クライアント端末１０ｘよりステータス変更情報がメッセンジャー・サーバ１７０に送信されると、メッセンジャー・サーバ１７０の受信手段１７２により受信される。この際、クライアント端末１０ｘからステータス変更情報を送信したユーザが、ログイン情報に基づいて識別される。受信されたステータス変更情報は記憶手段１７０ａに記憶される（Ｓ２２０）。
【００９２】
記憶されたステータス変更情報履歴は、任意のタイミングでクライアント端末１０ｘ（識別されたユーザ）に送信され、許諾ユーザ（いわゆる「お友達登録」をしているユーザ）に閲覧可能とするか否かの問い合わせが行われる（Ｓ２３０）。表示された情報を識別されたユーザが、許諾ユーザに閲覧可能とするか否かを選定手段１７６により選定する。こうして、選定された選定ステータス変更情報履歴が記憶手段１７０ａに記憶される（Ｓ２４０）。
【００９３】
その後、他のユーザであるクライアント端末１０ｙより閲覧の請求があった場合には、選定ステータス変更情報履歴を閲覧手段１７８により閲覧可能とする（Ｓ２６０）。この閲覧の一例を図８により説明する。図８の上図に示すように、メッセンジャーを開くと、自身が許諾ユーザとなる関係にある、いわゆる「お友達登録」をしているＢＢＢさん、ＣＣＣさん、ＤＤＤさんが表示される。表示された「お友達」のうちステータスを見たいＤＤＤさんにカーソルを合わせて選択し、過去のステータス一覧の閲覧を要求する（図８の左下の図）と、ＤＤＤさんがその日に設定したステータスの一覧が表示される（図８の右下の図）。当該表示されたステータス一覧の画面から、「他の日のステータスを見る」というところにカーソルを合わせて選択することにより、当日以外の日にＤＤＤさんが設定したステータスの履歴を閲覧することも可能である。
【００９４】
図８の例において、２００６．７．１のステータス一覧を見ると、「ＡＭ１０：３０」に「だから言わんこっちゃない」、「ＡＭ１１：３０」に「サウナ状態」、「ＡＭ１２：１０」に「熱中症５秒前」、「ＡＭ１５：３０」に「後悔」、というステータスが設定されていたことがわかる。これから、ＤＤＤさんが、夏の暑い盛りに、意地を張ってクーラーを使わなかったがために、だんだん暑くなって大変だったという状況を読み取ることができる。
【００９５】
なお、図８の例では、時刻情報をステータス情報と共に表示する実施態様としているが、時刻情報は表示させずにステータス情報を並べるルールとして利用するにとどめる実施態様とすることも可能である。
【００９６】
このように、メッセンジャー・サーバ１７０に類似の手段を備えることにより、実施例１で説明したのと同様な作用効果を期待することができる。
【００９７】
［第３の実施例］
第３の実施例は、ステータス更新情報をメッセージとして、投稿サーバに送信して投稿するものである。図９は、本発明の好適な一実施形態であるステータス変更情報送信システム３の概略を示した図である。図１０は、本発明のステータス変更情報送信システム３の処理の流れを示した図である。図１１は、ステータステーブルの内容を示す図である。図１２は、投稿ページの一例を示す図である。以下本発明について、図９から図１２を参照して説明をする。
【００９８】
図９に示すように、本発明のステータス変更情報送信システム３は、１つ以上のクライアント端末（１０ａ、・・・、１０ｘ、・・・、１０ｙ、以下１０ｘという）と、メッセンジャー・サーバ２７０と、投稿サーバ２９０とが相互に通信回線５０により接続されている。
【００９９】
メッセンジャー・サーバ２７０は、クライアント端末１０ｘより送信されたステータス変更情報を受信する受信手段２７２と、ステータス変更情報を投稿サーバに送信するか否かを決定する決定手段２７５と、ステータス変更情報をユーザの情報と共に投稿サーバ２９０に送信する送信手段２７９と、を備える。また、メッセンジャー・サーバ２７０には記憶手段２７０ａが接続されている。
【０１００】
投稿サーバ２９０は、メッセンジャー・サーバ２７０より送信されたステータス変更情報とユーザの情報とを受信する受信手段２９２と、受信したステータス情報を、ユーザの情報に基づきユーザのメッセージとして投稿メッセージが掲載されたＷｅｂページに書き込む書込手段２９４と、を備える。また、投稿サーバ２９０には、投稿記事であるＷｅｂページを記憶するＷｅｂページ記憶手段２９０ａが接続される。
【０１０１】
次に、ステータス変更情報送信システム３の処理の流れを図１０のフローにしたがって説明する。まず、クライアント端末１０ｘでは、ステータスが更新されたか否かを判断する（Ｓ３１０）。ステータスは、上述の図３で説明したように、ユーザがクライアント端末１０ｘを用いて操作することにより変更（更新）することができる。ステータスが変更された場合（Ｓ３１０：Ｙ）には、ステータス変更情報がメッセンジャー・サーバ２７０に送信される。ステータスが変更されていない場合（Ｓ１３０：Ｎ）には、クライアント端末１０ｘは、クライアント端末に備えたキーボードからの入力が所定の速さか否かを判断する（Ｓ３２０）。
【０１０２】
キーボードからの入力速度は、例えば、単位時間あたりのキーボードからの入力文字数により判断する。そして、所定の速さである場合（Ｓ３２０：Ｙ）には、クライアント端末１０ｘは、ステータスを変更し（Ｓ３３０）、ステータス変更情報がメッセンジャー・サーバ２７０に送信される。そして、所定の速さではない場合（Ｓ３２０：Ｎ）には、クライアント端末１０ｘは、処理を最初（Ｓ３１０）に戻す。
【０１０３】
ここで、図１１に、ステータステーブルを示す。このステータステーブルは、メッセンジャーの機能をクライアント端末１０ｘで使用する際に、メッセンジャー・サーバ２７０からクライアント端末１０ｘにダウンロードされる。例えば、所定の単位時間内にキーボードからの入力がなかった場合には、ステータスの情報を、「超ヒマ〜」という内容に変更する。
【０１０４】
図１０にもどって説明すると、メッセンジャー・サーバ２７０では、クライアント端末１０ｘよりステータス変更情報を受信したか否かを判断する（Ｓ３４０）。受信手段２７２により受信した場合（Ｓ３４０：Ｙ）には、メッセンジャー・サーバ２７０は、決定手段２７５により投稿記事として掲載が可能か否かを判断する（Ｓ３５０）。投稿記事として掲載が可能である場合（Ｓ３５０：Ｙ）には、メッセンジャー・サーバ２７０は、ステータス変更情報を投稿サーバ２９０に送信する。他方、クライアント端末１０ｘよりステータス変更情報を受信していない場合（Ｓ３４０：Ｎ）や、投稿記事として掲載が不可である場合（Ｓ３５０：Ｎ）には、メッセンジャー・サーバ２７０は、本処理を終了する。
【０１０５】
次に、メッセンジャー・サーバ２７０より送信されたステータス変更情報を、投稿サーバ２９０が受信したか否かを判断する（Ｓ３７０）。受信手段２９２により受信した場合（Ｓ３７０：Ｙ）には、投稿サーバ２９０は、書込手段２９４によりＷｅｂページにメッセージとしてステータス変更情報を書き込む（Ｓ３８０）。他方、ステータス変更情報を受信していない場合（Ｓ３７０：Ｎ）には、投稿サーバ２９０は、本処理を終了する。
【０１０６】
投稿サーバ２９０のＷｅｂページ記憶手段２９０ａに記憶されているＷｅｂページが投稿記事としてクライアント端末１０ｘに表示された場合の一例を、図１２に示す。これは、クライアント端末１０ｘのユーザである「ｔａｒｏｐａｐａ」が、クライアント端末１０ｘにてキーボードから速くタイプインしている場合に、クライアント端末１０ｘが自動的にステータスの情報を「超多忙」に変更した場合を示す。一番上の投稿メッセージに「超多忙」という文字と、とても忙しくって汗をかいている絵文字とが投稿される。この投稿記事に、他のユーザが応答したり、第三者が投稿記事を眺めたりと、様々な利用を行うことができる。よって、メッセンジャーを用いて、メッセンジャーの自己の状況を発信する機能を生かしたメッセンジャーによるＷｅｂページへの投稿を行うことができる。
【０１０７】
［第４の実施例］
第４の実施例は、電子メールに記載したメッセージをステータス更新情報として、ブログ・サーバに送信してブログを更新するものである。図１３は、本発明の好適な一実施形態であるブログ更新システム４の概略を示した図である。
【０１０８】
図１３に示すように、本発明のブログ更新システム４は、１つ以上のクライアント端末（１０ａ、・・・、１０ｘ、・・・、１０ｙ、以下１０ｘという）と、電子メールサーバ３６０と、ブログ・サーバ３８０とが相互に通信回線５０により接続されている。
【０１０９】
クライアント端末１０ｘは、電子メールの送受信を行ったり、ブログを表示したりすることができる端末であり、パソコン（ＰＣ）に限られない。携帯電話機であってもよいし、ＰＤＡ（Ｐｅｒｓｏｎａｌ  Ｄｉｇｉｔａｌ  Ａｓｓｉｓｔａｎｔｓ）等の携帯情報端末でもよい。また、電子メールの送受信を行うクライアント端末１０ｘと、ブログを表示するクライアント端末１０ｘとは、異なる端末であってももちろんよい。
【０１１０】
電子メールサーバ３６０は、受信手段３６１、ユーザ識別手段３６２、検索手段３６３、ブログ・サーバ送信手段３６４およびメール送信手段３６５を備える。また、電子メールサーバ３６０には記憶手段３６０ａが接続されている。また、ブログ・サーバ３８０は、受信手段３８２およびブログ・データベース識別手段３８４を備える。また、ブログ・サーバ３８０にはブログ記憶手段３８０ａが接続される。
【０１１１】
クライアント端末１０ｘから電子メールが送信されると、電子メールサーバ３６０の受信手段３６１は、電子メールを受信する。電子メールは、送信元のユーザの情報や送信先のユーザを示すあて先情報と共に、伝達する情報として電子メールの件名や本文で記載されるメッセージ（ステータス変更情報）を含む。そして、ユーザ識別手段３６２は、送信元のユーザの情報であるメールアドレスから、電子メールの送信元のユーザを識別する。次に、検索手段３６３は、識別されたユーザのブログが記憶されているブログ・サーバ３８０を検索する。具体的には、記憶手段３６０ａには、あらかじめメールアドレスと、ＵＲＬ（Ｕｎｉｆｏｒｍ  Ｒｅｓｏｕｒｃｅ  Ｌｏｃａｔｏｒ）等のブログ・サーバの位置の情報とが関連付けて記憶されており、メールアドレスから該当のブログ・サーバの位置の情報を検索する。
【０１１２】
次に、ブログ・サーバ送信手段３６４は、メッセージと識別されたユーザの情報とを検索されたブログ・サーバ３８０に送信する。また、メール送信手段３６５は、あて先情報に基づき、電子メールを受信用の電子メールサーバ（図示せず）に送信する。受信用の電子メールサーバに送信された電子メールは、あて先のメールアドレスのユーザにより受信される。
【０１１３】
次に、ブログ・サーバ３８０の受信手段３８２は、電子メールサーバ３６０から送信されたメッセージを受信する。そして、ブログ・データベース識別手段３８４は、受信したメッセージによりユーザと紐付けられたブログ・データベースを識別する。そして、ブログ記憶手段３８０ａは、メッセージを、時刻情報と共にブログ・データベースに記憶する。
【０１１４】
このようにして、電子メールサーバ３６０は、電子メールに記載されたメッセージを、ステータス変更情報としてクライアント端末１０ｘから受信するので、このメッセージを利用してブログ・サーバ３８０のブログ記憶手段３８０ａに記憶されたブログ・データベースの更新をすることができる。よって、電子メールを利用して、電子メールをあて先に送信しつつ、電子メール送信者のブログを更新することができる。
【０１１５】
［サーバのハードウェア構成］
図１４は、図１で説明したメッセンジャー・サーバ７０と、ブログ・サーバ８０のハードウェア構成の一例を示す図である。メッセンジャー・サーバ７０と、ブログ・サーバ８０は、メッセンジャー・サーバ７０と、ブログ・サーバ８０を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ／Ｏｕｔｐｕｔ  Ｓｙｓｔｅｍ）１０６０、ＵＳＢポート１０９０、Ｉ／Ｏコントローラ１０７０、ならびにキーボードおよびマウス１１００等の入力手段や表示装置１０２２を備える。
【０１１６】
Ｉ／Ｏコントローラ１０７０には、テープドライブ１０７２、ハードディスク１０７４、光ディスクドライブ１０７６、半導体メモリ１０７８、等の記憶手段を接続することができる。
【０１１７】
ＢＩＯＳ１０６０は、メッセンジャー・サーバ７０と、ブログ・サーバ８０との起動時にＣＰＵ１０１０が実行するブートプログラムや、メッセンジャー・サーバ７０と、ブログ・サーバ８０とのハードウェアに依存するプログラム等を格納する。
【０１１８】
記憶部を構成するハードディスク１０７４は、メッセンジャー・サーバ７０と、ブログ・サーバ８０とがサーバとして機能するための各種プログラムおよび本発明の機能を実行するプログラムを記憶しており、さらに必要に応じて各種データベースを構成可能である。
【０１１９】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。
【０１２０】
メッセンジャー・サーバ７０と、ブログ・サーバ８０とに提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、メッセンジャー・サーバ７０と、ブログ・サーバ８０とにインストールされ実行されてもよい。
【０１２１】
前述のプログラムは、内部または外部の記憶媒体に格納されてもよい。ここで、記憶手段７０ａ等を構成する記憶媒体としては、ハードディスク１０７４、光ディスク１０７７、またはメモリーカードの他に、ＭＤ等の光磁気記録媒体、テープ媒体を用いることができる。また、専用通信回線やインターネットに接続されたサーバシステムに設けたハードディスク１０７４または光ディスクライブラリ等の記憶装置を記録媒体として使用し、プログラムを通信回線を介してメッセンジャー・サーバ７０と、ブログ・サーバ８０とに提供してもよい。
【０１２２】
ここで、表示装置１０２２は、ユーザにデータの入力を受け付ける画面を表示したり、メッセンジャー・サーバ７０と、ブログ・サーバ８０による演算処理結果を表示したりするものであり、ブラウン管表示装置（ＣＲＴ）、液晶表示装置（ＬＣＤ）等のディスプレイ装置を含む。
【０１２３】
ここで、入力手段は、ユーザによる入力を受け付けるものであり、キーボードおよびマウス１１００等により構成してよい。
【０１２４】
また、通信Ｉ／Ｆ１０４０は、メッセンジャー・サーバ７０と、ブログ・サーバ８０を専用ネットワークまたは公共ネットワークを介してクライアント端末１０ｘと接続できるようにするためのネットワーク・アダプタである。通信Ｉ／Ｆ１０４０は、モデム、ケーブル・モデムおよびイーサネット（登録商標）・アダプタを含んでよい。
【０１２５】
以上の例は、ブログ更新システム、ステータス変更情報記憶システム、およびステータス変更情報送信システムについて主に説明したが、コンピュータに、プログラムをインストールして、そのコンピュータをサーバとして動作させることにより上記で説明した機能を実現することができる。したがって、本発明において一実施形態として説明したメッセンジャーや電子メールによるブログ更新システム、その方法、およびそれらのプログラムによっても実現可能である。また、本発明において一実施形態として説明したメッセンジャーの自己の状況発信手段を生かしたメッセンジャーによるＷｅｂページへの投稿システム、その方法、およびそれらのプログラムによっても実現可能である。
【０１２６】
以上、本発明を実施形態、および実施例を用いて説明したが、本発明の技術的範囲は上記実施形態に記載の範囲に限定されない。上記実施形態に、多様な変更または改良を加えることが可能である。また、そのような変更または改良を加えた形態も本発明の技術的範囲に含まれ得ることが、特許請求の範囲の記載から明らかである。例えば、通信回線は公衆回線を利用した有線通信でも無線通信にてもよいし専用の通信回線にても同様に実現することができる。
【図面の簡単な説明】
【０１２７】
【図１】本発明の好適な一実施形態であるブログ更新システムの概略を示した図である。
【図２】本発明のブログ更新システムの処理の流れを示した図である。
【図３】クライアント端末におけるメッセンジャーの使用状態を示す図である。
【図４】クライアント端末におけるブログの表示を示す図である。
【図５】クライアント端末におけるブログの表示を示す図である。
【図６】本発明の好適な一実施形態であるステータス変更情報記憶システムの概略を示した図である。
【図７】本発明のステータス変更情報記憶システムの処理の流れを示した図である。
【図８】ステータス変更情報記憶システムのクライアント端末における表示例である。
【図９】本発明の好適な一実施形態であるステータス変更情報送信システムの概略を示した図である。
【図１０】本発明のステータス変更情報送信システムの処理の流れを示した図である。
【図１１】本発明のステータステーブルを示した図である。
【図１２】クライアント端末における投稿記事の表示を示す図である。
【図１３】本発明の好適な一実施形態であるブログ更新システムの概略を示した図である。
【図１４】ハードウェア構成の一例を示す図である。
【符号の説明】
【０１２８】
１      ブログ更新システム
２      ステータス変更情報記憶システム
３      ステータス変更情報送信システム
４      ブログ更新システム
１０ｘ  クライアント端末
５０    通信回線
７０、１７０、２７０    メッセンジャー・サーバ
７０ａ、１７０ａ、２７０ａ    記憶手段
７１、１７２、２７２    受信手段
７２、１７４    ユーザ識別手段
７３    検索手段
７４、２７９    送信手段
７６    判定手段
７８    警告返信手段
８０、３８０    ブログ・サーバ
８０ａ、３８０ａ    ブログ記憶手段
８２、３８２    受信手段
８４、３８４    ブログ・データベース識別手段
８６    ステータス情報解析手段
１７６    選定手段
１７８    閲覧手段
２７５    決定手段
２９０    投稿サーバ
２９０ａ    Ｗｅｂページ記憶手段
２９２    受信手段
２９４    書込手段
３６０    電子メールサーバ
３６０ａ    記憶手段
３６１    受信手段
３６２    ユーザ識別手段
３６３    検索手段
３６４    ブログ・サーバ送信手段
３６５    メール送信手段
【図１】
2008123508.tif 000003
【図２】
2008123508.tif 000004
【図３】
2008123508.tif 000005
【図４】
2008123508.tif 000006
【図５】
2008123508.tif 000007
【図６】
2008123508.tif 000008
【図７】
2008123508.tif 000009
【図８】
2008123508.tif 000010
【図９】
2008123508.tif 000011
【図１０】
2008123508.tif 000012
【図１１】
2008123508.tif 000013
【図１２】
2008123508.tif 000014
【図１３】
2008123508.tif 000015
【図１４】
2008123508.tif 000016